(57)【要約】【課題】信号光を確実に被操作機器に伝達させることができ、また種々の機能を組み合わせることができるリモコン装置を提供する。【解決手段】リモコン２０，３０，４０の上部前面に凸部２０Ａ，３０Ａ，４０Ａが設けられ、各凸部の斜め上向き面に発光部２８，３８，４８が設けられている。リモコン２０に対しリモコン３０，４０が連結可能である。発光部２８，３８，４８から発光する光軸方向の仰角は４５°〜８０°程度が好適である。【選択図】  図２
2005027165.tif 000002
【特許請求の範囲】
【請求項１】
背面を壁面に重ねるようにして該壁面に取り付けられるリモコンにおいて、
前面に、前方へ突出すると共に斜め上向き面を有した凸部が設けられており、
該斜め上向き面に信号光の発光部が設けられていることを特徴とするリモコン。
【請求項２】
請求項１において、該リモコンの上部に、他のリモコンとの連結部が設けられていることを特徴とするリモコン。
【請求項３】
複数のリモコンが連結されてなるリモコン連結体であって、背面を壁面に重ねるようにして該壁面に取り付けられ、且つ該リモコン同士が上下方向に配置されるリモコン連結体において、
少なくとも下方側のリモコンが請求項１又は２に記載のリモコンであることを特徴とするリモコン連結体。
【発明の詳細な説明】
【０００１】
【発明の属する技術分野】
本発明は、トイレルーム等の壁面に設置されるリモコン及びリモコン連結体に関するものである。
【０００２】
【従来の技術】
トイレルームの便器に設けられた温水洗浄装置等の電製品を操作するために、トイレルームの壁面にリモコンを設置することは周知である。
【０００３】
壁面に設置されたリモコンからの赤外線信号光が便器側の受光部に確実に到達するようにするために、リモコンから信号光を上向きに発光させ、該信号光をトイレルームの壁面や天井面等で反射させて該受光部に入射させることが検討されている。なお、特開平１０−２３４０８９号には、天井の照明器具をリモートコントロールするためのリモコンとして、上方に向って信号光を照射するようにリモコンの上端部に発光部を設けたリモコンが記載されている。
【０００４】
上記の温水洗浄装置は、周知の通り、洋風便器に着座した人体の臀部に温水を噴射してその洗浄を行うものであり、濡れた臀部を乾かすための温風乾燥装置や便鉢内の臭気含有空気を除臭処理するための脱臭装置等を付帯することもある。
【０００５】
また、トイレの電装品としては、便座や便蓋をスイッチ操作によって開閉する開閉装置；便座ボックスやタンクカバーを上下動させ、それらの下面側の洋風便器上面を清掃し易くするための昇降装置；暖房便座；トイレ用エアコンなどがある。
【０００６】
各電装品をリモートコントロールするためのリモコンに上記のすべての電装品用のスイッチを設けたのでは、リモコンが徒に大型化してしまう。トイレルームに設置された電装品用のスイッチのみをリモコン装置に具備させる場合には、電装品の組み合わせに応じたスイッチ組合せを有するリモコン装置を製作する必要があり、リモコン装置の種類が著しく増えてしまう。
【０００７】
このような問題に対処するものとして、特開平１０−３１７４６２号には、複数のリモコン同士を嵌め合い方式により着脱可能に連結し、複数種類のリモコンを組み合わせ得るようにしたリモコン装置が記載されている。
【０００８】
【特許文献１】
特開平１０−３１７４６２号公報
【特許文献２】
特開平１０−２３４０８９号公報
【０００９】
【発明が解決しようとする課題】
トイレルームの壁面にリモコンよりも上側に棚などの張出部が存在する場合、リモコンの上端部に発光部を設けたとしても、信号光が棚等に遮られ易い。
【００１０】
また、上記特開平１０−３１７４６２号のように、複数のリモコンを上下に連結する場合には、下側のリモコンにあっては発光部を上端側に配置することができず、信号光の主照射方向を上向きにすることができない。
【００１１】
本発明は、棚などの張出部があっても信号光を十分に上向きに照射することが可能なリモコンを提供することを目的とする。
【００１２】
また、本発明は、複数のリモコンを上下に連結した場合に、下側のリモコンからも上向きに信号光を照射することができるリモコン連結体を提供することを目的とする。
【００１３】
【課題を解決するための手段】
本発明のリモコンは、背面を壁面に重ねるようにして該壁面に取り付けられるリモコンにおいて、前面に、前方へ突出すると共に斜め上向き面を有した凸部が設けられており、該斜め上向き面に信号光の発光部が設けられていることを特徴とするものである。
【００１４】
かかるリモコンにあっては、前面に設けられた凸部の斜め上向き面に信号光発光部が設けられており、この発光部から信号光が斜め上向きに照射される。このように発光部を凸部に設けているので、リモコンの上端面に発光部を設けた従来例に比べて凸部の突出分だけ発光部が前方に位置する。このため、リモコンの上方に棚などが設けられていても、該棚などが信号光の障害になりにくいものとなる。
【００１５】
また、本発明のリモコンの上側に他のリモコンを連結した場合でも、下側のリモコンの信号光は上側のリモコンに邪魔されることなく凸部の斜め上向き面から斜め上方に照射される。
【００１６】
本発明のリモコン連結体は、複数のリモコンが連結されてなるリモコン連結体であって、背面を壁面に重ねるようにして該壁面に取り付けられ、且つ該リモコン同士が上下方向に配置されるリモコン連結体において、少なくとも下方側のリモコンが本発明のリモコンであることを特徴とするものであり、上記の通り、下側のリモコンの信号光は上側のリモコンに邪魔されることなく斜め上方に照射される。
【００１７】
【発明の実施の形態】
以下、図面を参照して実施の形態について説明する。図１は実施の形態に係るリモコン及びリモコン連結体の分解斜視図、図２はリモコン連結体の斜視図、図３はリモコン同士の連結構造の説明図である。
【００１８】
このリモコン装置は、洋風便器の温水洗浄装置等の電装品をリモートコントロールするためのものである。この洋風便器には、温水洗浄装置と、電動式フラッシュ装置と、電動式便座開閉装置とが設けられている。
【００１９】
この温水洗浄装置には、シャワー（肛門）洗浄装置、チャーム（ビデ）洗浄装置、温風乾燥装置が設けられている。
【００２０】
電動式フラッシュ装置は、ロータンクのフロート弁を引き上げてロータンク内の水を洋風便器の便鉢に流出させるよう構成されたものであり、フロート弁を所定高さまで引き上げてロータンク内の水の略全量を放出する大洗浄と、フロート弁を短時間だけ少しだけ引き上げて少量の水を便鉢に流出させる小洗浄とを行うよう構成されている。
【００２１】
便座開閉装置は、便座開信号を受けて便座を起立回動させ、便座閉信号を受けて便座を倒伏回動させるよう構成されている。
【００２２】
このリモコン連結体１０は、シャワー系リモコン２０、フラッシュ用リモコン３０及び便座用リモコン４０とを備えてなる。各リモコン２０，３０，４０は、背面がトイレルームの壁面に重なるように配置されるものである。いずれのリモコン２０，３０，４０も合成樹脂製のケーシングを有し、各々の前面にスイッチが設けられている。
【００２３】
シャワー系リモコン２０は、前面に肛門洗浄用シャワースイッチ２１と、ビデ用チャームスイッチ２２と、洗浄後に臀部を温風乾燥するための乾燥スイッチ２３と、シャワー洗浄、チャーム洗浄又は温風乾燥を停止させるストップスイッチ２４と、温水の水量を増減させるための洗浄強さ調節スイッチ２５と、洗浄ノズル前進限位置を調節する洗浄位置調節スイッチ２６と、洗浄ノズルを前後往復動させて洗浄領域を拡大するワイド洗浄の入／切スイッチ２７とを備えている。
【００２４】
なお、乾燥スイッチ２３は、１回押す度に温風温度が高→中→低の順に繰り返し切り替わるよう構成されている。
【００２５】
このシャワー系リモコン２０は、長方形盤状の外形を有し、その上部前面には前方へ突出する凸部２０Ａが設けられている。この実施の形態では、該凸部２０Ａはリモコン２０の左端から右端にまで延在している。この凸部２０Ａは、前方に向って斜め下り勾配となる上面２０ａと、前方に向って斜め上り勾配となる下面２０ｂとを有した縦断面形状が略「く」字形状のものである。
【００２６】
この上面２０ａが、斜め前方を向いた斜め上向き面であり、該上面２０ａに発光部２８が設けられている。この発光部２８は、図３（ａ）の通り、赤外線透過材料よりなる透光板２８ａと、該透光板２８ａの裏側に配置されたＬＥＤ等よりなる赤外線発光素子２８ｂとで構成されている。
【００２７】
フラッシュ用リモコン３０は、洋風便器の大使用後に多量の水を便鉢に流すための大フラッシュスイッチ３１と、小使用後に少量の水を便鉢に流すための小フラッシュスイッチ３２とを前面に備えている。このフラッシュ用リモコン３０は正方形盤状の外観を有し、その前面上部には左右方向に延在した凸部３０Ａが設けられている。この凸部３０Ａも略「く」字形断面形状のものであり、その斜め上向き面に発光部３８が設けられている。
【００２８】
便座用リモコン４０は、前面に便座開閉用スイッチ４１を備えている。この便座用リモコン４０は、フラッシュ用リモコン３０と同一大きさの正方形盤状のものであり、その前面上部には左右方向に延在した凸部４０Ａが設けられている。この凸部４０Ａも略「く」字形断面形状のものであり、その斜め上向き面に発光部４８が設けられている。
【００２９】
発光部３８，４８も、透光板とその裏側の赤外線発光素子とで構成されている。
【００３０】
リモコン２０の上側に連なるようにリモコン３０，４０を配置した場合にリモコン２０に対しリモコン３０，４０を連結するために、リモコン３０，４０の底面からはＬ字形の舌片５０が突設されている。この舌片５０の水平片５０ａをリモコン２０の上部に設けられた凹穴５１に後方から差し込むことにより、リモコン３０，４０がリモコン２０に連結される。
【００３１】
リモコン２０は、ブラケット２０Ｂに着脱自在とされている。該ブラケット２０Ｂは、ビス、両面テープ、平面ファスナ等の取付手段によって壁面に取り付け可能とされている。各リモコン２０，３０，４０の連結体は、ブラケット２０Ｂを介して壁面に取り付け可能である。
【００３２】
なお、この実施の形態ではリモコン２０の左右幅はリモコン３０，４０の左右幅の２倍となっており、リモコン３０，４０の舌片５０，５０をリモコン２０の凹穴５１，５１に差し込んでリモコン２０，３０，４０を合体させると、一枚の方形盤状の連結体が構成される。このリモコン連結体にあっては、リモコン３０，４０の凸部３０Ａ，４０Ａが一直線状に連なり、美観が良好である。
【００３３】
このように構成されたリモコン２０，３０，４０及びその連結体１０にあっては、各リモコン２０，３０，４０の上部前面に突設された凸部２０Ａ，３０Ａ，４０Ａの斜め上向き面に発光部２８，３８，４８が設けられているので、赤外線信号光が斜め上方に照射される。なお、照射光軸方向の仰角は４５〜８０°程度が好適である。
【００３４】
このように斜め上向きに照射された信号光は、トイレルームの壁面や天井面等に反射され、洋風便器側の受光部に上方から入射し、受光素子（図示略）に受光される。従って、受光素子とリモコンとの間に便座に座った人体が存在する場合でも、信号光が確実に受光素子に受光され、各電装品を的確に遠隔操作することができる。
【００３５】
この実施の形態では、シャワー系リモコン２０に対しフラッシュ用リモコン３０と便座用リモコン４０とを結合しているが、便蓋開閉用のリモコン、トイレエアコン用リモコンなど、他のリモコンを結合してもよい。シャワー系リモコン２０にもさらに別のスイッチが設けられてもよい。
【００３６】
図１〜３ではリモコン同士のみを結合しているが、一部のリモコンの代りに、それと同一大きさと同様の外観を有したダミー体を設けてもよい。
【００３７】
ダミー体としては、時計付きダミー体や、１００Ｖアダプター、電池ボックス、電池、スピーカー、ラジオ、テレビ、ＣＤ又はＭＤプレーヤー、照明など他の機器を搭載したダミー体を用いてもよく、ミラー、額縁などの装飾体を備えたダミー体を用いてもよい。
【００３８】
上記実施の形態では凸部２０Ａ，３０Ａ，４０Ａはリモコンの左端から右端にまで延在しているが、それよりも短くてもよい。
【００３９】
上記実施の形態では、凸部は略「く」字形断面形状であるが、図４に示すように他の形状とされてもよい。なお、図４ではリモコン前面のスイッチについて図示を省略する。
【００４０】
図４（ａ）のリモコン６０では、縦断面形状が円弧形の凸部６０Ａの斜め上向き面に発光部６０ａを設けている。
【００４１】
図４（ｂ）のリモコン６１では、縦断面形状が略直角三角形状の凸部６１Ａを設け、この凸部６１Ａの斜め上向き面に発光部６１ａを設けている。
【００４２】
図４（ｃ），（ｄ）のリモコン６２，６３ではリモコンの前面の略全体を凸部６２Ａ，６３Ａとしている。図４（ｃ）のリモコン６２は、前面の縦断面形状が三角形状であり、図４（ｄ）のリモコン６３は、前面の縦断面形状が円弧形状であり、それぞれの斜め上向き面に発光部６２ａ，６３ａを設けている。
【００４３】
本発明は、凸部を図示以外の種々の形状のものとしうる。
【００４４】
上記実施の形態のリモコン装置はトイレルーム用のものであるが、これに限定されるものではない。
【００４５】
【発明の効果】
以上の通り、本発明によると、信号光を確実に被操作機器に伝達させることができ、また種々の機能を組み合わせることができるリモコン装置が提供される。
【図面の簡単な説明】
【図１】実施の形態に係るリモコン連結の分解斜視図である。
【図２】図１のリモコンを連結したリモコン連結体の斜視図である。
【図３】（ａ）図はリモコン同士を連結する構造を示す概略的な縦断面図であり、（ｂ）図はリモコン３０，４０の底部の下方からの斜視図である。
【図４】別の実施の形態に係るリモコンの斜視図である。
【符号の説明】
１０  リモコン連結体
２０  シャワー系リモコン
３０  フラッシュ用リモコン
４０  便座用リモコン
２０Ａ，３０Ａ，４０Ａ  凸部
２０Ｂ  ブラケット
２８，３８，４８  発光部
６０，６１，６２，６３  リモコン
６０Ａ，６１Ａ，６２Ａ，６３Ａ  凸部
６０ａ，６１ａ，６２ａ，６３ａ  発光部
【図１】
2005027165.tif 000003
【図２】
2005027165.tif 000004
【図３】
2005027165.tif 000005
【図４】
2005027165.tif 000006